(57)【特許請求の範囲】
【請求項１】
中空円柱の中空部に逆洗管とエアー管を挿通し、エアー管は逆洗管内に挿入し、エアー管と逆洗管の下部には、底部が開孔された皿状の上部漏斗皿と底部が閉口された皿状の下部漏斗皿の二枚の漏斗皿で構成されていて二枚の漏斗皿は上下方向に空間を確保するため連結板で橋架された構成の漏斗型濾過金具を具備し、漏斗型濾過金具の上部の中空円柱内には濾過砂が充填され、中空円柱の下部には濾過砂が充填された二枚の漏斗皿間に原水を入水する原水入水口を備え、濾過砂が充填された中空円柱の上部には濾過砂で濾過された濾過水を取水する取水口を備え、濾過砂より上部の中空円柱には逆洗水排出口を備え、逆洗管の上端部には濾過砂の上部に混合水を吐出するＴ型逆洗管を備え、エアー管からエアーが漏斗型濾過金具における下部漏斗皿の底部に噴出し、漏斗型濾過金具に流入した濾過砂と原水を噴出したエアーで混合し、混合水を逆洗管とエアー管の隙間を通過して上部のＴ型逆洗管から濾過砂の上部に吐出し、逆洗水を逆洗水排出口から排出させるように構成されていることを特徴とする濾過装置。
【発明の詳細な説明】
【技術分野】
【０００１】
本発明は、河川湖沼水の原水中の有害物質を検査する検査機器に入水する試験水が、高濁度で検査の支障を起こさないための試験水の濾過を行う濾過装置の技術に関する。
【背景技術】
【０００２】
昔から表流水や浅井戸や伏流水などを飲料に使用する場合は、砂濾過式が一般家庭で多く使用されてきた歴史があり砂濾過は周知であるが、濾過砂に濾過した滓や塵が付着するため、頻繁に砂を洗浄しなければ濾過能力が低下する欠点が砂濾過式にはあった、そのため砂濾過の濾過能力を持続的に保持するため、濾過砂の洗浄を自動的に行う技術がある。
近年は、水道水の原料である河川湖沼水の原水に有害物質が混入する事故を未然に防止するために各種の検査や監視が常時行われている、水道法では５０品目の有害物資の検査を義務付けているし、急性毒物に関しては魚類の飼育監視が義務付けられている、そのため各種の検査機器に供給す試験原水の濁度除去が行われる、雨が降ると河川湖沼水は濁り高濁度水となる、高濁度水は検査に支障が生じるため濾過装置が実用に供されている。
【特許文献１】特開２００５−１６１２２９号公報
【特許文献２】特開２００３−２６５９０６号公報
【特許文献３】特開平特開平９−９４４０７号公報
【発明の開示】
【発明が解決しようとする課題】
【０００３】
しかし、従来の濾過装置は以下の問題があった。
【０００４】
（１）  
試験水は少量のため濾過は濾布によるフイルター式を採用する場合が多いが、フイルター式は高濁度水では急速に目詰まりを起こす、濾布の自動洗浄式は高額で装置も複雑で処理水量も多いため、試験水用では通常は使われずに不便だが頻繁に濾布の取替えを行っていた、頻繁な取替え作業のため原水試験にも支障をきたしていた。
（２）  
砂濾過式は水道原水処理の大型濾過設備では通常使用されているが、少量の試験水では使用事例は少なく、例え使用されていても砂濾過式はフイルター式に比べて形状を大きく、自動洗浄をしない場合は濾過砂を定期的に取り替えるか、洗浄を必要とし不便であった。
（３）  
試験水用の高濁度を濾過砂で処理し、自動洗浄を行う本発明に該当する製品の開発が近年試みられているが、いずれも高濁度水が濾過されないとか、濾過砂が自動洗浄されないとか、濾過水に濾過砂が混ざっていたとか、洗浄された汚水が排出されず濾過砂に混じるとか、不都合な点が多く見られ本来の課題を解決するまでに至っていない。
【課題を解決するための手段】
【０００５】
本発明は、上記目的を達成するために、請求項１記載の発明は、中空円柱の中空部に逆洗管とエアー管を挿通し、エアー管は逆洗管内に挿入し、エアー管と逆洗管の下部には、底部が開孔された皿状の上部漏斗皿と底部が閉口された皿状の下部漏斗皿の二枚の漏斗皿で構成されていて二枚の漏斗皿は上下方向に空間を確保するため連結板で橋架された構成の漏斗型濾過金具を具備し、漏斗型濾過金具の上部の中空円柱内には濾過砂が充填され、中空円柱の下部には濾過砂が充填された二枚の漏斗皿間に原水を入水する原水入水口を備え、濾過砂が充填された中空円柱の上部には濾過砂で濾過された濾過水を取水する取水口を備え、濾過砂より上部の中空円柱には逆洗水排出口を備え、逆洗管の上端部には濾過砂の上部に混合水を吐出するＴ型逆洗管を備え、エアー管からエアーが漏斗型濾過金具における下部漏斗皿の底部に噴出し、漏斗型濾過金具に流入した濾過砂と原水を噴出したエアーで混合し、混合水を逆洗管とエアー管の隙間を通過して上部のＴ型逆洗管から濾過砂の上部に吐出し、逆洗水を逆洗水排出口から排出させるように構成されていることを特徴と
【発明の効果】
【００１２】
本発明は、濾過砂を自動洗浄することで面倒な濾過砂の取替えや洗浄の必要がなく濾過水を安定的に取水できる。
【発明を実施するための最良の形態】
【００１３】
本発明に係る濾過装置によれば、中空円柱の中空部に逆洗管とエアー管を挿通し、エアー管は逆洗管内に挿入し、エアー管と逆洗管の下部に漏斗型濾過金具を具備し、エアー管からエアーが漏斗型濾過金具の底部に噴出し、漏斗型濾過金具に流入した濾過砂と原水を噴出したエアーで混合し、混合水を逆洗管とエアー管の隙間を通過して上部のＴ型逆洗管から吐出し、濾過砂の常時自動洗浄を行う。
【００１４】
また、具備する漏斗型濾過金具は上部漏斗皿と下部漏斗皿の二枚の漏斗皿で構成され、二枚の漏斗皿は空間を確保するため連結板で橋架し、上部漏斗皿の底部は開孔され、下部漏斗皿の底部は閉口され、上部漏斗皿の底部の開孔部と下部漏斗皿の底部の近接位置にエアー管を挿入したラッパ型逆洗管を装着する。
【００１５】
また、具備する漏斗型濾過金具の上部漏斗皿と下部漏斗皿の空間部に濾過砂を安息角で充填し、その濾過砂によって原水を濾過し、その濾過した原水は上部漏斗皿の底部の開孔を通過して上向し、濾過水取水口から安息角の濾過砂を通過して濾過水を取水する。
【００１６】
また、中部円柱の直径は上部円柱の直径より大きく、フランジの外周側面は上部円柱のフランジの外周側面に接合し、中部円柱の中空部の内壁に仕切板を具備し、仕切板と中空部内壁間の三日月状の区域を、上部円柱のフランジの濾過水取水口に接合させる。
【００１７】
また、中空円柱は、フランジ間を数個のボルトで螺着することで連結一体となし、上部円柱の中空部には保持具と透視窓と逆洗水排出口と仕切板とフランジに濾過水取水口を具備し、中部円柱の中空部には仕切板と濾過砂排出口を具備し、下部円柱には漏斗型濾過金具と原水入水口と傾斜板とスラッジ排出口を具備する。
【００１８】
また、逆洗管の最上部はＴ型の二分岐とし、仕切板はＴ型逆洗管一方から吐出された混合水遮壁とし、もう一方は、上部円柱の内壁面を遮壁となし、濾過砂を沈下させる、エアー管はＴ型逆洗管の上部を貫通する。
【００１９】
また、入水した原水は下部円柱の中空部を斜めに遮蔽した傾斜板の上に流れ込み比重の重いものはスラッジとして傾斜板の底部に蓄積し、蓄積が多くなるとスラッジ排水口を開口して除去する。
【実施例】
【００２０】
以下に実施例を挙げ、本発明の濾過装置について、図面を参照して詳細に説明する。図１は、本発明の実施の形態に係る濾過装置の斜視図である。また図２は、本発明の実施の形態に係る濾過装置の断面図である。また図３は、本発明の実施の形態に係る濾過装置内の物質の流れを示す断面図である。また図４は、本発明の実施の形態に係る漏斗型濾過金具の斜視図である。また図５は、本発明の実施の形態に係る上部円柱の俯瞰図である。また図６は、本発明の実施の形態に係る中部円柱の俯瞰図である。また図７は、本発明の実施の形態に係る下部円柱の俯瞰図である。
【００２１】
従来の砂濾過方式の場合は、原水は上部から入水し濾過水は下部から取水する方法が多く採用されていたが、本発明は従来方法とは逆に下部から原水を入水し、原水を上向させ上部から濾過水を取水する方法である。
【００２２】
本発明の濾過装置１の特徴とするところは、まず図１と図２が示すように濾過装置１は、外形は円柱型で中空であり、この中空円柱は上部円柱３と中部円柱４と下部円柱５の三個に分割でき、上部円柱３にはフランジ６が、中部円柱４にはフランジ７とフランジ８が、下部円柱５にはフランジ９がそれぞれ付着している、フランジには孔を開けボルト１０で螺着することで連結一体型となり、材質はフランジも含めて樹脂材で成型される。
【００２３】
上部円柱３はフランジ６が付着し、フランジ６には濾過水取水口１４が具備している。  
【００２４】
上部円柱３に付着したフランジ６と中部円柱４に付着したフランジ７とが接合し、数個のボルト１０で螺着される。
【００２５】
上部円柱３は、上部に円柱蓋２を載上し、透視窓１１と逆洗水排水口１６を具備し、中空部には仕切板２７と仕切板２８と仕切板底部２７aと保持具３１を具備し、保持具にエアー管２１を挿入した逆洗管２３が挿着され、混合水１９を吐出すＴ型逆洗管２４を具備する。
【００２６】
上部円柱３の内部直径は中部円柱４の内部直径より小さく、濾過水取水口１４はフランジ６に具備し、中部円柱４の仕切板２９と中空内壁の三日月状の区域にフライジ６の濾過水取水口１４の入水口を接合し、漏斗型濾過金具２６内の濾過砂２０や中空部に充填された濾過砂２０で濾過された濾過水１５を濾過水取水口１４から取水する。
【００２７】
中部円柱４は濾過砂排出口１８を具備し、上部にフランジ７を付着し下部にフランジ８を付着する、フランジ８は下部円柱５に付着したフランジ９と接合し、数個のボルト１０で螺着される。
【００２８】
下部円柱５は原水入水口１２とスラッジ排出口３２と傾斜板３０を具備し、漏斗型濾過金具２６を下部円柱５の上部の内周縁に付着した周縁掛具９ａに掛着する。
【００２９】
各フランジは数個のボルト１０で螺着する、螺着したフランジ間から漏水しないために例えばゴムパッキンやオーリングなどを挾着することもある。
【００３０】
原水入水口１２から入水した原水１３には砂や小石など水より比重の重いものも含有している場合もあるため、原水入水口１２から入水した原水１３は下部円柱５の中空部を斜めに遮蔽した傾斜板３０上に流れ込み比重の重いものはスラッジ３３として傾斜板３０の底部に蓄積し、蓄積量が多くなるとスラッジ排水口３２を開口して除去する、スラッジ排水口３２は、常時は閉口されている。
【００３１】
傾斜板３０は下部円柱５の中空内壁面に密着しているため、傾斜板３０の裏面に原水１３が漏水することはない、実施例は傾斜板３０を１枚としているが、例えば傾斜板を２枚にして中央部で接合する構造でもよい。
【００３２】
図2と図3において、下部円柱５の傾斜板３０上にある原水１３ａは、満溢水になると漏斗型濾過金具２６の上部漏斗皿２６ａと下部漏斗皿２６ｃの連結板２６ｂで橋架した空間から流入する。
【００３３】
漏斗型濾過金具２６の上部漏斗皿２６ａと下部漏斗皿２６ｃの連結板２６ｂで橋架した空間には、濾過砂２０が安息角２６ｆをもって充填し、原水１３ａはこの安息角２６ｆの濾過砂２０を通過することで濾過される、通過した原水の一部は上部漏斗皿２６ａの上部漏斗皿底部２６ｄの開孔部を通過して上向し、濾過水取水口１４から濾過水１５として取水する。
【００３４】
原水１３の入水量から濾過水取水口１４の濾過水１５を取水する水量の目安は、例えば濾過水の取水量を毎分1リットルとしたときは、原水１３の入水量は約３倍の毎分３リットル程度が適している、入水量を取水量より多くすることで、入水圧が強くかかり原水を上向する圧力となる。
【００３５】
漏斗型濾過金具２６の下部漏斗皿底部２６ｅには、ラッパ型逆洗管２５が近接し、逆洗管２３内に挿入されたエアー管２１からエアー２２ａが噴出する。
【００３６】
下部漏斗皿底部２６ｅとラッパ型逆洗管２５の下部の間隔距離は、２０ｍｍ〜３０ｍｍが適しており、間隔距離が広いと混合水１９を上部円柱３に圧送することができず、間隔距離が狭いと混合水１９が詰まって圧送できないなどの不都合が生じる。
【００３７】
漏斗型濾過金具２６の開孔した上部漏斗皿底部２６ｄの周縁とラッパ型逆洗管２５の外周縁の隙間から濾過砂２０が下降し、原水１３ａは下降する濾過砂２０を通過して上向する。
【００３８】
濾過砂２０と原水１３ａとエアー２２ａがラッパ型逆洗管２５と下部漏斗皿底部２６ｅのエリアで混合し、逆洗管２３内に挿入されたエアー管２１と逆洗管２３の隙間をエアー圧力によって混合した混合水１９を上部円柱３に圧送する。
【００３９】
混合水１９は濾過砂２０と原水１３ａとエアー２２ａを混合するための適度のエリアが下部漏斗皿底部２６ｅに必要とされる。
【００４０】
ラッパ型逆洗管２５の内径はエアー圧力や濾過砂の量や原水の入水量等によって調整をしなければならない、エアーはエアーポンプによって通常は供給されるが、エアー圧力は可調整が必要である。
【００４１】
逆洗管２３内に挿入されたエアー管２１と逆洗管２３の隙間をエアー圧力によって上部円柱３に圧送された濾過砂２０と逆洗水１７とエアー２２ａの混合水１９は、Ｔ型逆洗管２４の左右から吐出される、Ｔ型逆洗管２４の上部をエアー管２１が貫通する
【００４２】
吐出された混合水１９に含まれた濾過砂２０は、混合水の中の比重が重いので下部に沈み中空円柱の内部に充填された濾過砂２０の上に載上し、濾過砂２０は中空円柱の底部に向って沈下する。
【００４３】
また吐出された混合水１９に含まれる逆洗水１７は、濾過砂を洗浄したため汚れており、逆洗水１７として排出する、
【００４４】
例えば濾過水の取水量を毎分1リットルにしたとき、原水の入水量は約３倍の毎分３リットルとし、残りの２リットルは逆洗水１７として逆洗水排出口１６から排出される。
【００４５】
Ｔ型逆洗管２４の左右から吐出された混合水１９に含有した濾過砂２０は下部に沈み、逆洗水１７は仕切板２８の底部を回流し、次に仕切板２７の上部を回流して逆洗水排出口１６から排出される。
【００４６】
仕切板２７の底部は上部円柱３の内壁面に仕切板底部１７ａを付着し、逆洗水１７は仕切板２７と中空内壁間の上部から回流して排出される。
【００４７】
仕切板２８はＴ型逆洗管２４の一方から吐出された混合水１９の遮壁であり、混合水１９が逆洗水排出口１６から濾過砂を含んだ状態でストレートに排出するのを防ぎ、仕切板２７より高い位置に設置される。
【００４８】
またＴ型逆洗管２４のもう一方の吐出は、上部円柱３の内壁面が遮壁となり、混合水１９に含有する濾過砂２０は下部に沈む。
【００４９】
Ｔ型逆洗管２４の上部をエアー管２１が貫通し、エアー管２１とＴ型逆洗管２４の上部面は密接している。
【００５０】
透視窓１１は上部円柱３の中間部から下部に向けて長方形の縦長に開口し、開口部に透明の樹脂材を漏水防止を施し冠着している。
【００５１】
透視窓１１は、濾過砂２０や混合水１９の状態を目視監視ができる、中空円柱の内径や長さに応じて、また濾過砂の量によっても透視窓の位置は変る場合がある。
【００５２】
透視窓１１は中空円柱の内部に充填された濾過砂２０の量の監視や混合水１９の状態を監視する、例えば濾過砂２０の量が少量の場合は、円柱蓋２を開けてここから濾過砂２０を補充し、濾過砂２０の量が多いときは濾過砂排出口１８を開口して排出する。
【００５３】
濾過砂２０は、Ｔ型逆洗管２４から吐出され、洗浄され、中空円柱内に充填された濾過砂２０の上に載上し、徐々に沈下して底部の漏斗型濾過金具２６に入り、再度、混合水１９となって上部に圧送される、この循環を繰り返すことで濾過砂２０は自動洗浄される。
【００５４】
仕切板２９は、仕切板２９と中部円柱４の内壁面との間に濾過砂２０の安息角２９ａを構成するために具備されており、濾過水１５は安息角２９ａの濾過砂２０を通過して濾過水取水口１４から取水される。
【００５５】
中空円柱の内部に充填された濾過砂２０の底部は、漏斗型濾過金具２６の上部漏斗皿２６ａに接し、上部漏斗皿底部２６dの開孔口に上部漏斗皿２６ａの漏斗状の表面斜壁を滑落してラッパ型逆洗管２５との隙間から下部漏斗皿底部２６ｅのエリアに沈下していく。
【００５６】
沈下した濾過砂２０は、再び原水１３ａとエアー２２ａの混合水１９となってエアー管２１と逆洗管２３の隙間をエアー圧力によって上部円柱３のＴ型逆洗管２４から吐出される。
【００５７】
図4において、漏斗型濾過金具２６は上部漏斗皿２６ａと下部漏斗皿２６ｃが４枚の連結板２６ｂで橋架されている、上部漏斗皿２６ａの直径は約２００ｍｍで下部漏斗皿２６ｃの直径は１８０ｍｍである。
【００５８】
上部漏斗皿２６ａの裏面部と下部漏斗皿２６ｃの表面部の間隔は約３０ｍｍで、４枚の連結板２６ｂの橋架によって４分割された空間が形成される。
【００５９】
４枚の連結板２６ｂは菱形の形状で、上部漏斗皿２６ａの裏面の斜壁部と下部漏斗皿２６ｃの表面の斜壁部のそれずれ斜壁面に向って菱形の形状の上面が上部漏斗皿２６ａの裏面の斜壁面に、また菱形の形状の下面が下部漏斗皿２６ｃの表面の斜壁面にそれぞれ縦方向に橋架される。
【００６０】
上部漏斗皿２６ａの表面斜壁は４０度〜５０度の範囲の傾斜を備え、中空円柱に充填された濾過砂２０は表面斜壁を滑落する。
【００６１】
濾過砂は、上部漏斗皿底部２６dの開孔口とラッパ型逆洗管２５の隙間から上部漏斗皿２６ａの裏面斜壁面と下部漏斗皿２６ｃの表面斜壁面との空間部の安息角２６fまで充填し、この安息角２６ｆをもつ濾過砂２０を原水１３ａが通過し濾過される。
【００６２】
安息角２６fの濾過砂２０は常に安息角を保ちながら新しい濾過砂と入れ替わり古い濾過砂は下部漏斗皿底部２６ｅの閉孔部のエリアでエアー２２ａと混ざり混合水１９となる。
【００６３】
上部漏斗皿底部２６ｄの開孔口の直径は約１００ｍｍで、下部漏斗皿底部２６ｅの閉孔口の直径の約６０ｍｍより大きい。
【００６４】
上部漏斗皿２６ａの底部の開孔部周縁とラッパ型逆洗管２５の外周縁との隙間の距離は３０ｍｍ〜４０ｍｍの範囲で、この隙間から濾過砂２０は下降し、原水１３ａは上向する。
【００６５】
下部漏斗皿底部２６ｅの閉孔部とラッパ型逆洗管２５の下部の間隔距離は約２０ｍｍ〜３０ｍｍの範囲で、エアー圧力は毎分２．５〜４リットルが適しており、このときの原水入水量は毎分約３リットルで濾過水の取水量は毎分約１リットルである。
【００６６】
原水入水量や濾過水の取水量の変更に応じて、上部漏斗皿２６ａの底部の開孔部や下部漏斗皿底部２６ｅの閉孔部やラッパ型逆洗管２５の下部の間隔距離やエアー圧力やラッパ型逆洗管２５の隙間や逆洗管及びエアー管等の寸法を調整しなければならない。
【００６７】
上部漏斗皿２６ａの表面外周縁を下部円柱５の上部の内周縁に付着した周縁掛具９ａに掛着するためにひさしを設け、周縁掛具９ａに漏斗型濾過金具２６を掛着する。
【００６８】
漏斗型濾過金具２６の材質はステンレス材で製作されているが、強度と腐食性が保て成型が可能であれば材質を変えても構わない。
【００６９】
図５は、上部円柱３の円柱蓋２を除去したときの俯瞰図である、中空部の上下共に開口し、下部のみにフランジ６が付着し、フランジ６は濾過水取水口１４が具備する唾側が広い、フランジ６の外周縁は中部円柱４のフランジ７の外周縁と合致し、螺着のために孔を開け数個のボルト１０によってフランジ６とフランジ７は螺着される。
【００７０】
上部円柱３の中空下部に保持具３１を具備し、保持具３１の中心部の円筒は３箇所の支柱で保持され、中心部の円筒は中空部の中心より濾過水取水口１４に寄った位置に設置し、円筒の中空部にエアー管２１を挿入した逆洗管２４を挿着する。
【００７１】
保持具３１の円筒の中空部にエアー管２１を挿入した逆洗管２３を挿着することで、上下左右の傾斜や移動を防ぎ適切な位置に保持することができる、中空部にエアー管２１を挿入した逆洗管２３はフランジ６の外周縁からは中心部に位置する。
【００７２】
中空上部のＴ型逆洗管２４上面からエアー管２１を貫通し、Ｔ型逆洗管２４の吐出し左側面に仕切板２８を具備し、Ｔ型逆洗管２４の吐出し右側面に中空内壁面と接し、仕切板２８と中空内壁面の間に仕切板２７を具備し、仕切板２８と仕切板２７は共に上部円柱３の内壁面に固着され、仕切板２８の上部及び底部共に開口し、仕切板２７の上部は開口し底部は仕切板底部２７aで閉口している、仕切板２８と仕切板２７の下部に保持具３１が具備される。
【００７３】
図６は、中部円柱４の俯瞰図である、中空部の上下共に開口し、上部にフランジ７と下部にフランジ８を付着し、中部円柱４の内部直径は上部円柱３の内部直径より大きく、フランジ７の外周縁は上部円柱３のフランジ６の外周縁と合致し、数個のボルト１０によってフランジ６とフランジ７は螺着される。
【００７４】
中部円柱４の中空部の内壁に仕切板２９が具備し、仕切板２９は中部円柱４の内壁面に固着されており、仕切板２９の上部と底部は共に開口している。
【００７５】
仕切板２９と中空内壁間の三日月状の区域を、フランジ６に具備した濾過水取水口１４に接合し、濾過水１５が仕切板２９と中空内壁間の三日月状の区域を通過してフランジ６に具備した濾過水取水口１４から取水する。
【００７６】
中部円柱４の中空部及びフランジ７の外周縁の中心部にエアー管２１を挿入した逆洗管２３が具備される。
【００７７】
図７は、下部円柱５の俯瞰図である、上部にフランジ９を付着し、下部円柱５の内部直径は中部円柱４の内部直径と同一で、フランジ９の外周縁は中部円柱４のフランジ８の外周縁と合致し、数個のボルト１０によってフランジ８とフランジ９は螺着される。
【００７８】
下部円柱５の中空上部の内周縁に周縁掛具９ａを付着し、その上に漏斗型濾過金具２６の上部漏斗皿２６ａの上面外周縁のひさしと掛合し、漏斗型濾過金具２６は下部円柱５の中空上部に保持される。
【００７９】
上部漏斗皿２６ａの表面斜壁面や上部漏斗皿底部２６dの開孔口や下部漏斗皿底部２６ｅの表面斜壁面や下部漏斗皿底部２６ｅ等を備えた漏斗型濾過金具２６が中空上部の周縁掛具９ａに掛着される。
【００８０】
下部漏斗皿底部２６ｅの閉孔部に近接してラッパ型逆洗管２５とその中を挿入したエアー管２１が装着される。
【産業上の利用可能性】
【００８１】
本発明は、水道原水や飲料原水の試験用水として、例えば有害物質の含有を見分ける手段として試験魚にヒメダカなどの小型魚類を使用し、魚類の生息行動を監視カメラと画像処理装置で解析するバイオアッセイ法などにおいて、２４時間連続で無人の自動監視が可能となり、水道事業や飲料事業などの産業に利用が可能である。
【図面の簡単な説明】
【００８２】
【図１】本発明の実施の形態に係る濾過装置の斜視図である。
【図２】本発明の実施の形態に係る濾過装置の断面図である。
【図３】本発明の実施の形態に係る濾過装置内の物質の流れを示す断面図である。
【図４】本発明の実施の形態に係る漏斗型濾過金具の斜視図である。
【図５】本発明の実施の形態に係る上部円柱の俯瞰図である。
【図６】本発明の実施の形態に係る中部円柱の俯瞰図である。
【図７】本発明の実施の形態に係る下部円柱の俯瞰図である。
【符号の説明】
【００８３】
１  濾過装置
２  円柱蓋
３  上部円柱
４  中部円柱
５  下部円柱
６  フランジ
７  フランジ
８  フランジ
９  フランジ
９ａ  周縁掛具
１０  ボルト
１１  透視窓
１２  原水入水口
１３  原水
１３ａ  原水
１４  濾過水取水口
１５  濾過水
１６  逆洗水排出口
１７  逆洗水
１８  濾過砂排出口
１９  混合水
２０  濾過砂
２１  エアー管
２２  エアー
２２ａ  エアー
２３  逆洗管
２４  Ｔ型逆洗管
２５  ラッパ型逆洗管
２６  漏斗型濾過金具
２６ａ  上部漏斗皿
２６ｂ  連結板
２６ｃ  下部漏斗皿
２６ｄ  上部漏斗皿底部
２６ｅ  下部漏斗皿底部
２６ｆ  安息角
２７  仕切板
２７ａ  仕切板底部
２８  仕切板
２９  仕切板
２９ａ  安息角
３０  傾斜板
３１  保持具
３２  スラッジ排出口
３３  スラッジ
【図１】
0004951473.tif 000002
【図２】
0004951473.tif 000003
【図３】
0004951473.tif 000004
【図４】
0004951473.tif 000005
【図５】
0004951473.tif 000006
【図６】
0004951473.tif 000007
【図７】
0004951473.tif 000008